(57)【要約】【課題】  加入者（使用者）を識別する識別情報が記憶された複数のカードを用いて通信を行うことができる通信端末装置を提供する。【解決手段】  通信端末装置は、固有の識別情報を記憶する複数のＩＣカード（ＵＳＩＭカード１１ａ，１１ｂ）を装着する複数のスロット（プライマリスロット１２ａ、セカンダリスロット１２ｂ）を備える。プライマリスロット１２ａに対応してプライマリ通信制御部２１ａ及び無線送受信部２２ａが設けられており、セカンダリスロット１２ｂに対応してセカンダリ通信制御部２１ｂ及び無線送受信部２２ｂが設けられている。【選択図】  図２
2007006192.tif 000002
【特許請求の範囲】
【請求項１】
無線送受信手段と、前記無線送受信手段にて送受信される信号に応じて通信処理する通信処理手段と、記憶手段に記憶されている識別情報を認識する識別情報認識手段と、前記識別情報認識手段により認識される前記識別情報に応じて前記通信処理手段における前記通信処理を制御する通信制御手段とを備える通信端末装置において、
前記識別情報認識手段は、前記記憶手段に記憶されている前記識別情報を認識可能な識別情報認識部を複数有し、
前記無線送受信手段及び前記通信処理手段は、前記複数の識別情報認識部に応じて個別にそれぞれ設けられ、
前記通信制御手段は、前記複数の識別情報認識部のうち前記識別情報が認識された識別情報認識部に対応する前記無線送受信部及び前記通信処理手段による通信を許可する
ことを特徴とする通信端末装置。
【請求項２】
前記複数の識別情報認識部のうち前記識別情報を認識した識別情報認識部が複数ある場合、
前記通信制御手段は、前記識別情報を認識した複数の前記識別情報認識部のうちの何れかの識別情報認識部に対応した前記通信処理手段による通信を優先的に行う
ことを特徴とする請求項１記載の通信端末装置。
【請求項３】
前記複数の識別情報認識部のうち前記識別情報を認識した識別情報認識部が複数ある場合、
前記通信制御手段は、前記識別情報を認識した前記複数の識別情報認識部のうちの１つの識別情報認識部に対応した前記通信処理手段にて前記通信が実施されているときに、前記識別情報を認識した他の識別情報認識部に対応した前記通信処理手段に通信要求があると、前記他の識別情報認識部に対応した前記通信処理手段での前記通信要求への応対を選択する通信応対選択手段を有する
ことを特徴とする請求項１又は請求項２記載の通信端末装置。
【請求項４】
前記通信応対選択手段は、前記通信要求への前記応対として、前記通信の保留、キャッチホンによる通信の開始、及び通信内容の記録のうちの少なくとも１つを選択可能に構成されていることを特徴とする請求項３記載の通信端末装置。
【発明の詳細な説明】
【技術分野】
【０００１】
本発明は、ＩＣカード等の記憶手段に記憶されている識別情報（識別コード等）を認識して通信を行う通信端末装置に関する。
【背景技術】
【０００２】
従来、携帯電話機、簡易型携帯電話機（ＰＨＳ）、自動車電話機、その他の通信端末装置においては、本体内部に登録された電話番号等の使用者に対応した固有のＩＤコード（識別情報）を使用して通話を行なうものが一般的であった。近年においては、第３世代携帯電話機等の高性能な通信端末装置が実現しているが、この種の通信端末装置ではＳＩＭ（Subscriber Identity Module：加入者識別モジュール）カード又はＵＳＩＭ（Universal Subscriber Identity Module：汎用加入者識別モジュール）カードと呼ばれるＩＣカードが用いられる。尚、以下の説明において、これらを総称する場合には「ＵＳＩＭカード」という。この種の通信端末装置では、本体に装着されたＵＳＩＭカードから、そのＵＳＩＭカードに登録された使用者に対応して設定されたＩＤコードを読み出し、このＩＤコードを用いて通話を可能としている。
【０００３】
上記のＵＳＩＭカードを用いることにより、例えば電話機本体を所持しない者でも、他人から電話機本体を借りて自己の所有するＵＳＩＭカードを装着することにより、使用者自身のＩＤコードを用いた通話を行なうことができる。尚、電話機本体を共有しても、課金処理はＵＳＩＭカード毎に別々に行うことができるため、電話機本体の所有者との間の金銭的なやり取りの煩わしさが無く、使い勝手の向上を図ることができる。このようなＵＳＩＭカードを用いた従来の通信端末装置の詳細については、例えば以下の特許文献１を参照されたい。
【特許文献１】特開平１１−１９６４６３号公報
【発明の開示】
【発明が解決しようとする課題】
【０００４】
ところで、上記の特許文献１に開示された技術においては、ＵＳＩＭカードを交換することで電話機本体を共用することができ、１台の携帯電話機を例えばプライベート用と仕事用に使い分けることができるという利点を有するものの、ＵＳＩＭカードの交換に煩雑な作業が必要になるとその利点が半減してしまう。
【０００５】
本発明は、上記事情に鑑みてなされたものであり、加入者（使用者）を識別する識別情報が記憶された複数のカード等の記憶手段を用いて通信を行うことができる通信端末装置を提供することを目的とする。
【課題を解決するための手段】
【０００６】
上記課題を解決するために、本発明の通信端末装置は、無線送受信手段と、前記無線送受信手段にて送受信される信号に応じて通信処理する通信処理手段と、記憶手段に記憶されている識別情報を認識する識別情報認識手段と、前記識別情報認識手段により認識される前記識別情報に応じて前記通信処理手段における前記通信処理を制御する通信制御手段とを備える通信端末装置において、前記識別情報認識手段は、前記記憶手段に記憶されている前記識別情報を認識可能な識別情報認識部を複数有し、前記無線送受信手段及び前記通信処理手段は、前記複数の識別情報認識部に応じて個別にそれぞれ設けられ、前記通信制御手段は、前記複数の識別情報認識部のうち前記識別情報が認識された識別情報認識部に対応する前記無線送受信部及び前記通信処理手段による通信を許可することを特徴としている。
また、本発明の通信端末装置は、前記複数の識別情報認識部のうち前記識別情報を認識した識別情報認識部が複数ある場合、前記通信制御手段は、前記識別情報を認識した複数の前記識別情報認識部のうちの何れかの識別情報認識部に対応した前記通信処理手段による通信を優先的に行うことを特徴としている。
更に、本発明の通信端末装置は、前記複数の識別情報認識部のうち前記識別情報を認識した識別情報認識部が複数ある場合、前記通信制御手段は、前記識別情報を認識した前記複数の識別情報認識部のうちの１つの識別情報認識部に対応した前記通信処理手段にて前記通信が実施されているときに、前記識別情報を認識した他の識別情報認識部に対応した前記通信処理手段に通信要求があると、前記他の識別情報認識部に対応した前記通信処理手段での前記通信要求への応対を選択する通信応対選択手段を有することを特徴としている。
ここで、本発明の通信端末装置は、前記通信応対選択手段が、前記通信要求への前記応対として、前記通信の保留、キャッチホンによる通信の開始、及び通信内容の記録のうちの少なくとも１つを選択可能に構成されていることを特徴としている。
【発明の効果】
【０００７】
本発明によれば、複数の記憶手段に記憶されている互いに異なる識別情報が複数の識別情報認識部によりそれぞれ認識可能とされ、識別情報が認識された識別情報認識部に対応して設けられた無線送受信手段及び通信処理手段による通信が通信制御手段によって許可されるため、加入者を識別する識別情報が記憶された記憶手段を交換することなく各々の識別情報を用いて通信を行うことができるという効果がある。
【発明を実施するための最良の形態】
【０００８】
以下、図面を参照して本発明の一実施形態による通信端末装置について詳細に説明する。図１は、本発明の一実施形態による通信端末装置の要部を模式的に示す図である。尚、本実施形態では、通信端末装置が携帯電話機である場合を例に挙げて説明する。図１に示す通り、本実施形態の通信端末装置１０は、複数のＵＳＩＭカード１１ａ，１１ｂを装着可能とするための複数のスロット（プライマリスロット１２ａ、セカンダリスロット１２ｂ）を備える。
【０００９】
ＵＳＩＭカード１１ａ，１１ｂには、それぞれ異なるＩＤコード（識別情報）が記憶されており、通信端末装置１０は、これらＵＳＩＭカード１１ａ，１１ｂの何れかに記憶されたＩＤコードを用いて通話（通信）を行う。通信端末装置１０は、プライマリスロット１２ａにＵＳＩＭカード１１ａが装着されており、且つセカンダリスロット１２ｂにＵＳＩＭカード１１ｂが装着されている場合には、セカンダリスロット１２ｂに装着されたＵＳＩＭカード１１ｂよりもプライマリスロット１２ａに装着されたＵＳＩＭカード１１ａのＩＤコードを優先的に用いて通話（通信）を行う。
【００１０】
尚、説明の便宜上、本実施形態ではＵＳＩＭカード１１ａがプライマリスロット１２ａに装着され、ＵＳＩＭカード１１ｂがセカンダリスロット１２ｂに装着されるものとするが、ＵＳＩＭカード１１ａをセカンダリスロット１２ｂに装着し、ＵＳＩＭカード１１ｂをプライマリスロット１２ａに装着することもできる。このときには、プライマリスロット１２ａに装着されたＵＳＩＭカード１１ｂのＩＤコードが優先的に用いられて通話（通信）が行われる。
【００１１】
また、プライマリスロット１２ａ及びセカンダリスロット１２ｂの何れか一方にのみＵＳＩＭカードが装着されている場合には、プライマリスロット１２ａに装着されているかセカンダリスロット１２ｂに装着されているかに拘わらず、装着されているＵＳＩＭカードのＩＤコードが用いられる。尚、本実施形態においては、通信端末装置１０が、２つのＵＳＩＭカード１１ａ，１１ｂをそれぞれ装着可能な２つのスロット（プライマリスロット１２ａ、セカンダリスロット１２ｂ）を備える場合を例に挙げて説明するが、任意の数のスロットを備えることができる。
【００１２】
通信端末装置１０のユーザが、プライマリスロット１２ａにＵＳＩＭカード１１ａを装着し、セカンダリスロット１２ｂにＵＳＩＭカード１１ｂを装着している場合には、各々のＵＳＩＭカードを用いて通信端末装置１０の使い分けをすることができる。例えば、プライマリスロット１２ａに装着されているＵＳＩＭカード１１ａを用いて通信端末装置１０をプライベートの用途に使用し、セカンダリスロット１２ｂに装着されているＵＳＩＭカード１１ｂを用いて通信端末装置１０を仕事の用途に使用するといった使い分けが可能である。
【００１３】
図２は、本発明の一実施形態による通信端末装置１０の内部構成を示すブロック図である。図２に示す通り、通信端末装置１０は、スロット部１２、端末制御部２０、プライマリ通信制御部２１ａ、セカンダリ通信制御部２１ｂ、無線送受信部２２ａ，２２ｂ、記憶部２３、操作部２４、及び表示部２５を含んで構成される。また、図示は省略しているが、通信端末装置１０のユーザの音声を音声信号に変換するマイクロフォン部及び音声信号を音声に変換するスピーカー部も備えている。
【００１４】
スロット部１２は、ＵＳＩＭカード１１ａ，１１ｂが装着された場合に、各々に記憶されているＩＤコードを読み出して認識し、読み出したＩＤコードを端末制御部２０に出力する。尚、スロット部１２は、上述したプライマリスロット１２ａ及びセカンダリスロット１２ｂを備えており、プライマリスロット１２ａはＵＳＩＭカード１１ａが装着された場合にＵＳＩＭカード１１ａのＩＤコードを認識し、セカンダリスロット１２ｂはＵＳＩＭカード１１ｂが装着された場合にＵＳＩＭカード１１ｂのＩＤコードを認識する。
【００１５】
端末制御部２０は、プライマリスロット１２ａに装着されたＵＳＩＭカード１１ａのＩＤコード又はセカンダリスロット１２ｂに装着されたＵＳＩＭカード１１ｂのＩＤコードを用いてプライマリ通信制御部２１ａ又はセカンダリ通信制御部２１ｂを制御し、通信端末装置１０の位置登録及び位置登録開放、並びに他の通信端末装置との間の通信を制御する。
【００１６】
例えば、プライマリスロット１２ａ又はセカンダリスロット１２ｂにＵＳＩＭカード１１ａ又はＵＳＩＭカード１２ｂが装着されたことが検出されると、装着されているＵＳＩＭカード１１ａ，１１ｂに記憶されているＩＤコードを認識する。そして、認識されたＩＤコードが適正なものであるか否かを判定し、適正なＩＤコードである、即ち装着されたＵＳＩＭカードが適正なものであると判定されると、このＩＤコードに応じて通信端末装置１０の動作を制御する。
【００１７】
具体的には、例えばプライマリスロット１２ａに装着されたＵＳＩＭカード１１ａに記憶（登録）されているＩＤコードが適正であると判定された場合には、このＩＤコードに応じた通信端末装置１０の位置登録を行い、プライマリ通信制御部２１ａを介して当該ＩＤコードに応じた音声通信やデータ通信等の通信が可能となる。セカンダリスロット１２ｂにＵＳＩＭカード１１ｂが装着されている場合には、同様に、ＵＳＩＭカード１１ｂに記憶されているＩＤコードに応じて通信端末装置１０の位置登録を行い、セカンダリ通信制御部２１ｂを介して当該ＩＤコードに応じて音声通信やデータ通信等の通信が許可される。
【００１８】
尚、プライマリスロット１２ａ及びセカンダリスロット１２ｂの何れにもＵＳＩＭカードが装着されていない場合には、通信端末装置１０の位置登録が行われず、またプライマリ通信制御部２１ａ及びセカンダリ通信制御部２１ｂの通信動作が規制されて、通信端末装置１０での通信が実施不可となる。また、プライマリスロット１２ａ又はセカンダリスロット１２ｂに装着されたＵＳＩＭカードに記憶されているＩＤコードが適正でない場合（装着されたＵＳＩＭカードが適正でない場合）には、このＵＳＩＭカードのＩＤコードに基づく通信端末装置１０の位置登録が行われずに、このＵＳＩＭカードが装着されたスロットに対応するプライマリ通信制御部２１ａ又はセカンダリ通信制御部２１ｂの通信動作が規制されて、このＩＤコードに応じた通信端末装置１０での通信動作が実施不可となる。
【００１９】
また、端末制御部２０は、プライマリ通信制御部２１ａ又はセカンダリ通信制御部２１ｂから出力される音声受信信号を不図示のスピーカ部に出力して音声に変換させるとともに、不図示のマイクロフォン部において変換された音声信号を、プライマリ通信制御部２１ａ又はセカンダリ通信制御部２１ｂに音声送信信号として出力する。更に、端末制御部２０は、電子メールの送受信、ＷＷＷ（World Wide Web）の閲覧等の制御も行う。
【００２０】
プライマリ通信制御部２１ａ及び無線送受信部２２ａはプライマリスロット１２ａに対応して設けられており、セカンダリ通信制御部２１ｂ及び無線送受信部２２ｂはセカンダリスロット１２ｂに対応して設けられている。このように、プライマリスロット１２ａ及びセカンダリスロット１２ｂの各々に対応させて通信制御部及び無線送受信部を設けることで、例えばプライマリスロット１２ａに装着されたＵＳＩＭカード（ＵＳＩＭカード１１ａ）のＩＤコードを用いてプライマリ通信制御部２１ａ及び無線送受信部２２ａにより通話（通信）中であっても、セカンダリスロット１２ｂに装着されたＵＳＩＭカード（ＵＳＩＭカード１１ｂ）のＩＤコードを用いてセカンダリ通信制御部２１ｂ及び無線送受信部２２ｂによる着信等の通信が可能になる。
【００２１】
プライマリ通信制御部２１ａは、プライマリスロット１２ａに装着されたＵＳＩＭカード（ＵＳＩＭカード１１ａ）のＩＤコードを用いて行われる通話（通信）を制御し、セカンダリ通信制御部２１ｂは、セカンダリスロット１２ｂに装着されたＵＳＩＭカード（ＵＳＩＭカード１１ｂ）のＩＤコードを用いて行われる通話（通信）を制御する。無線送受信部２２ａは、不図示のアンテナを備えており、このアンテナで受信された信号の検波、復調、周波数変換等を行って受信信号をプライマリ通信制御部２１ａに出力するとともに、プライマリ通信制御部２１ａから出力される送信信号の変調、周波数変換等を行った信号をアンテナに出力する。無線送受信部２２ｂも同様に不図示のアンテナを備えており、このアンテナで受信された信号の検波、復調、周波数変換等を行って受信信号をセカンダリ通信制御部２１ｂに出力するとともに、セカンダリ通信制御部２１ｂから出力される送信信号の変調、周波数変換等を行った信号をアンテナに出力する。
【００２２】
記憶部２３は、受信した電子メール、通話相手の電話番号又はメールアドレスからなるアドレス帳、及び後述するボイスメッセージ等を記憶する。この記憶部２３は、取り外し不可能なメインメモリと取り外し可能な外部メモリとから構成されるのが望ましい。操作部２４は、通話キー、終話キー、テンキー、ソフトキー等のユーザにより操作される各種キーを備えており、その操作内容の応じた操作信号を端末制御部２０に出力する。表示部２５は、液晶表示装置、有機ＥＬ表示装置等の表示装置を備えており、通信端末装置１０の動作状態、通信状態、ユーザによる操作部２４の操作内容を示す操作情報、メールの文章等の各種情報を表示するためのものである。
【００２３】
また、端末制御部２０には、通信応対部２６が設けられている。前述した通り、本実施形態の通信端末装置１０は、複数の通信制御部（プライマリ通信制御部２１ａ、セカンダリ通信制御部２１ｂ）を備えているため、一方の通信制御部の制御の下で通話等の通信を行ってる状態で、他方の通信制御部の制御の下での着信等の通信が可能である。通信応対部２６は、このような状況において、他方の通信制御部の制御の下での着信があったときの応対を制御するために設けられる。この通信応対部２６は、具体的には、通話時における着信を保留する制御を行ったり、現在行っている通話を一時保留にして他の着信への応答に一時的に切り替える（キャッチフォン）制御を行ったり、又は記憶部２３に音声を録音させる（ボイスメッセージ）制御を行う。尚、何れの応対を行うかは、予め通信端末装置１０のユーザによって操作部２４を用いて設定される。
【００２４】
次に、本実施形態の通信端末装置１０動作について説明する。まず通信端末装置１０の位置登録及び位置登録開放時の動作について説明する。図３は、位置登録時に通信端末装置１０で行われる処理を示すフローチャートである。通信端末装置１０のユーザが操作部２４を操作して通信端末装置１０の電源をオン状態にすると、図３に示すフローチャートの処理が開始される。
【００２５】
処理が開始されると、端末制御部２０は、まずプライマリスロット１２ａにＵＳＩＭカードが装着されているかを確認する（ステップＳ１１）。この処理では、端末制御部２０がプライマリスロット１２ａにおいてＵＳＩＭカード１１ａが認識されているか否かにより確認する。次に、端末制御部２０は、セカンダリスロット１２ｂにＵＳＩＭカードが装着されているかを確認する（ステップＳ１２）。この処理では、端末制御部２０がセカンダリスロット１２ｂにおいてＵＳＩＭカード１１ｂが認識されているか否かにより確認する。
【００２６】
次に、端末制御部２０は、プライマリスロット１２ａにのみＵＳＩＭカードが装着されているか否かを判断する（ステップＳ１３）。この判断結果が「ＹＥＳ」である場合には、端末制御部２０は、プライマリスロット１２ａに装着されたＵＳＩＭカードを用いて位置登録を行う（ステップＳ１４）。位置登録を終えると処理は終了する。一方、ステップＳ１３の判断結果が「ＮＯ」である場合には、端末制御部２０は、セカンダリスロット１２ｂにのみＵＳＩＭカードが装着されているか否かを判断する（ステップＳ１５）。この判断結果が「ＹＥＳ」である場合には、端末制御部２０は、セカンダリスロット１２ｂに装着されたＵＳＩＭカードを用いて位置登録を行う（ステップＳ１６）。位置登録を終えると処理は終了する。
【００２７】
一方、ステップＳ１５の判断結果が「ＮＯ」である場合には、プライマリスロット１２ａ及びセカンダリスロット１２ｂの両方にＵＳＩＭカードが装着されているか否かを判断する（ステップＳ１７）。この判断結果が「ＹＥＳ」である場合には、端末制御部２０は、プライマリスロット１２ａに装着されたＵＳＩＭカードを用いて位置登録を行い、その後にセカンダリスロット１２ｂに装着されたＵＳＩＭカードを用いて位置登録を行う（ステップＳ１８）。位置登録を終えると処理は終了する。上記のステップＳ１７における判断結果が「ＮＯ」の場合には、プライマリスロット１２ａ及びセカンダリスロット１２ｂの双方にＵＳＩＭカードが装着されていないため、表示部２５にエラーメッセージを表示し（ステップＳ１９）、処理は終了する。この図３に示される処理は、通信端末装置１０の電源がオフ状態となるまで定期的に行われる。そして、スロット１２ａ，１２ｂに対するＵＳＩＭカードの装着数が変化したり、装着されるＵＳＩＭカードが変更となったりした場合にも、各スロット１２ａ，１２ｂへのＵＳＩＭカードの装着状態に応じて位置登録処理が行われる。
【００２８】
次に、通信端末装置１０の位置登録開放時の動作について説明する。図４は、位置登録解放時に通信端末装置１０で行われる処理を示すフローチャートである。通信端末装置１０のユーザが操作部２４を操作して通信端末装置１０の電源をオフ状態にすると、図４に示すフローチャートの処理が開始される。通信端末装置１０の位置登録開放時に行われる処理は、位置登録時に行われる処理とほぼ同様である。
【００２９】
つまり、処理が開始されると、端末制御部２０は、まずプライマリスロット１２ａにＵＳＩＭカードが装着されているかを確認し（ステップＳ２１）、次にセカンダリスロット１２ｂにＵＳＩＭカードが装着されているかを確認する（ステップＳ２２）。次いで、端末制御部２０は、プライマリスロット１２ａにのみＵＳＩＭカードが装着されているか否かを判断し（ステップＳ２３）、この判断結果が「ＹＥＳ」である場合には、プライマリスロット１２ａに装着されたＵＳＩＭカードを用いて位置登録開放を行う（ステップＳ２４）。位置登録を終えると処理は終了する。
【００３０】
一方、ステップＳ２３の判断結果が「ＮＯ」である場合には、端末制御部２０は、セカンダリスロット１２ｂにのみＵＳＩＭカードが装着されているか否かを判断し（ステップＳ２５）、この判断結果が「ＹＥＳ」である場合には、セカンダリスロット１２ｂに装着されたＵＳＩＭカードを用いて位置登録開放を行う（ステップＳ２６）。位置登録を終えると処理は終了する。
【００３１】
一方、ステップＳ２５の判断結果が「ＮＯ」である場合には、端末制御部２０は、プライマリスロット１２ａ及びセカンダリスロット１２ｂの両方にＵＳＩＭカードが装着されているか否かを判断し（ステップＳ２７）、この判断結果が「ＹＥＳ」である場合には、プライマリスロット１２ａに装着されたＵＳＩＭカードを用いて位置登録開放を行い、その後にセカンダリスロット１２ｂに装着されたＵＳＩＭカードを用いて位置登録開放を行う（ステップＳ２８）。位置登録を終えると処理は終了する。上記のステップＳ２７における判断結果が「ＮＯ」の場合には、プライマリスロット１２ａ及びセカンダリスロット１２ｂの双方にＵＳＩＭカードが装着されていないため、表示部２５にエラーメッセージを表示し（ステップＳ２９）、処理は終了する。
【００３２】
次に、通信端末装置１０の待ち受け時における動作について説明する。図５は、待ち受け時において端末制御部２０で行われる処理を示すフローチャートである。尚、図３に示した位置登録が終了すると、通信端末装置１０は待ち受け状態になり、図５に示すフローチャートの処理が開始される。待ち受け状態において、端末制御部２０は、まずプライマリ通信制御部２１ａからの通信要求があるか否かを判断する（ステップＳ３１）。この判断結果が「ＮＯ」の場合には、端末制御部２０は、次にセカンダリ通信制御部２１ｂからの通話要求があるか否かを判断する（ステップＳ３２）。この判断結果も「ＮＯ」の場合には、再びステップＳ３１に戻る。
【００３３】
尚、プライマリスロット１２ａにＵＳＩＭカードが装着されておらず、プライマリスロット１２ａにてＵＳＩＭカードのＩＤコードが認識されていない場合には、プライマリ通信制御部２１ａによる通信が許可されていないため、ステップＳ３１での判断は「ＮＯ」となる。セカンダリスロット１２ｂにＵＳＩＭカードが装着されていない場合も同様にステップＳ３２での判断は「ＮＯ」となる。
【００３４】
ステップＳ３１，Ｓ３２の判断を繰り返している間に、ステップＳ３１の判断結果が「ＹＥＳ」になると、端末制御部２０はプライマリ通信制御部２１ａに対して通話等の通信を許可する制御を行う（ステップＳ３３）。そして、通信が行われた後で通信が終了すると、ステップＳ３１の処理に戻る。また、ステップＳ３１，Ｓ３２の判断を繰り返している間に、ステップＳ３２の判断結果が「ＹＥＳ」になると、端末制御部２０はセカンダリ通信制御部２１ｂに対して通話等の通信を許可する制御を行う（ステップＳ３４）。そして、通信が行われた後で通信が終了すると、ステップＳ３１の処理に戻る。
【００３５】
次に、通信端末装置１０の通信時に着信があったときに行われる動作について説明する。図６は、通信中に着信があったときに端末制御部２０で行われる処理を示すフローチャートである。尚、図６においては、通信端末装置１０でプライマリスロット１２ａに装着されたＵＳＩＭカード１１ａのＩＤコードに応じて、プライマリ通信制御部２１ａを用いた通信が行われており、他のセカンダリスロット１２ｂに装着されたＵＳＩＭカード１１ｂのＩＤコードに対応した着信があった場合に行われる処理を図示している。
【００３６】
プライマリスロット１２ａに装着されたＵＳＩＭカード１１ａのＩＤコードに対応して通信が行われている状態で、セカンダリ通信制御部２１ｂからの着信要求を受けると（ステップＳ４１）、端末制御部２０の通信応対部２６は、まず通信時における着信を保留する保留設定がオンになっているか否かを判断する（ステップＳ４２）。この判断結果が「ＹＥＳ」の場合には、通信応対部２６は、セカンダリ通信制御部２１ｂに保留処理設定を通知する（ステップＳ４３）。この通知により、セカンダリ通信制御部２１ｂからの着信要求は保留状態となる。
【００３７】
一方、ステップＳ４２の判断結果が「ＮＯ」の場合には、通信応対部２６はキャッチフォン設定がオンになっているか否かを判断する（ステップＳ４４）。この判断結果が「ＹＥＳ」の場合には、通信応対部２６は、まずプライマリ通信制御部２１ａに保留処理設定を通知する（ステップＳ４５）。この通知により、現在行われている通信が一時保留状態になる。次に、通信応対部２６は、セカンダリ通信制御部２１ｂに通信開始設定を通知する（ステップＳ４６）。この通知により、セカンダリ通信制御部２１ｂにあった着信に対する通信が可能になる。
【００３８】
通信端末装置１０が終話ボタンを押圧する等により、セカンダリ通信制御部２１ｂにあった着信に対する通信が終了すると、セカンダリ通信制御部２１ｂから端末制御部２０に通信が終了した旨を示す通信終了設定がなされる。この通信終了設定がなされると、通信応対部２６はプライマリ通信制御部２１ａに保留解除処理設定を通知する（ステップＳ４７）。これにより、プライマリ通信制御部２１ａでの一時的な保留状態が解除され、プライマリ通信制御部２１ａを介した通信が再開される。
【００３９】
一方、ステップＳ４４の判断結果が「ＮＯ」の場合には、通信応対部２６はボイスメッセージ設定がオンになっているか否かを判断する（ステップＳ４８）。この判断結果が「ＹＥＳ」の場合には、通信応対部２６は、端末制御部２６に対して記憶部２３への録音開始設定を行う（ステップＳ４９）。これにより、セカンダリ通信制御部２１ｂへの着信による通話が端末制御部２０を介して記憶部２３に録音される。一方、ステップＳ４８の判断結果が「ＮＯ」である場合には、通信応対部２６はセカンダリ通信制御部２１ｂに対して着信拒否設定を通知する（ステップＳ５０）。これにより、セカンダリ通信制御部２１ｂへの着信が拒否される。
【００４０】
尚、セカンダリ通信制御部２１ｂの通信時にプライマリ通信制御部２１ａへの着信があった場合には、図６に示すフローチャートにおいて、プライマリ通信制御部をセカンダリ通信制御部と読み替え、セカンダリ通信制御部をプライマリ通信制御部と読み替えれば良い。また、ＵＳＭＩカード１１ａ，１１ｂがデータ通信機能（電子メール、ＳＭＳ（Short Message Service等）をサポートする場合には、通信時に着信のあった電子メール等を記憶部２３に記憶させることもできる。
【００４１】
以上説明した通り、本実施形態ではＵＳＭＩカードを装着可能なスロット（プライマリスロット１２ａ、セカンダリスロット１２ｂ）を複数設けるとともに、これらのスロットに対応づけて通信制御部（プライマリ通信制御部２１ａ、セカンダリ通信制御部２１ｂ）及び無線送受信部を設けたため、ＵＳＭＩカードを交換することなく各々のＵＳＭＩを用いた通信を行うことができる。
【００４２】
以上、本発明の一実施形態による通信端末装置について説明したが、本発明は上記実施形態に制限されることなく、本発明の範囲内で自由に変更が可能である。例えば、上記実施形態では、スロット（プライマリスロット１２ａ、セカンダリスロット１２ｂ）及び通信制御部（プライマリ通信制御部２１ａ、セカンダリ通信制御部２１ｂ）に優先順位を付けていたが、ユーザが操作部２４を操作して所定の操作がなされた場合には、優先順位を変えるようにしてもよい。また、通信時に用いるスロット（ＵＳＩＭカード）及び通信制御部をユーザの操作に応じて強制的に切り替えても良い。また、全てのＩＤコード（識別情報）をＵＳＩＭカードに記憶させる構成としたが、少なくとも１つのＩＤコードを通信端末装置１０内に固設されたメモリ等の記憶手段に記憶させ、この記憶手段に記憶されているＩＤコードに対応した通信を優先的に行うように構成しても良い。
【図面の簡単な説明】
【００４３】
【図１】本発明の一実施形態による通信端末装置の要部を模式的に示す図である。
【図２】本発明の一実施形態による通信端末装置１０の内部構成を示すブロック図である。
【図３】位置登録時に通信端末装置１０で行われる処理を示すフローチャートである。
【図４】位置登録解放時に通信端末装置１０で行われる処理を示すフローチャートである。
【図５】待ち受け時において端末制御部２０で行われる処理を示すフローチャートである。
【図６】通信中に着信があったときに端末制御部２０で行われる処理を示すフローチャートである。
【符号の説明】
【００４４】
１０              通信端末装置
１１ａ，１１ｂ    ＵＳＩＭカード（記憶手段）
１２              スロット部（識別情報認識手段）
１２ａ            プライマリスロット（識別情報認識部）
１２ｂ            セカンダリスロット（識別情報認識部）
２０              端末制御部（通信制御手段）
２１ａ            プライマリ通信制御部（通信処理手段）
２１ｂ            セカンダリ通信制御部（通信処理手段）
２２ａ，２２ｂ    無線送受信部（無線送受信手段）
２６              通信応対部（通信応対選択手段）
【図１】
2007006192.tif 000003
【図２】
2007006192.tif 000004
【図３】
2007006192.tif 000005
【図４】
2007006192.tif 000006
【図５】
2007006192.tif 000007
【図６】
2007006192.tif 000008